(57)【特許請求の範囲】
【請求項１】
ネットワークを利用して通信する射出成形機において、
ネットワーク通信パラメータを取得するネットワーク通信パラメータ取得部と、
取得した前記ネットワーク通信パラメータを前記射出成形機に設定する設定部と、
を有し、
前記ネットワーク通信パラメータは、前記射出成形機と管理用端末の間の通信を実現する射出成形機上のネットワークアプリケーションで使用するネットワーク通信パラメータを含むことを特徴とするネットワークを利用して通信する射出成形機。
【請求項２】
ネットワークを利用して通信する射出成形機において、
ネットワーク通信パラメータを取得するネットワーク通信パラメータ取得部と、
取得した前記ネットワーク通信パラメータを前記射出成形機に設定する設定部と、
を有し、
前記ネットワーク通信パラメータは、前記射出成形機と周辺装置の間の通信を実現する射出成形機上のネットワークアプリケーションで使用するネットワーク通信パラメータを含むことを特徴とするネットワークを利用して通信する射出成形機。
【請求項３】
前記射出成形機は前記ネットワーク通信パラメータを記憶するパソコンとネットワークで接続され、
前記ネットワーク通信パラメータ取得部は該ネットワークを介して該ネットワーク通信パラメータをパソコンより取得することを特徴とする請求項１または２に記載のネットワークを利用して通信する射出成形機。
【請求項４】
前記ネットワーク通信パラメータ取得部はネットワーク通信パラメータを記憶した記憶媒体から該ネットワーク通信パラメータを取得することを特徴とする請求項１または２に記載のネットワークを利用して通信する射出成形機。
【請求項５】
前記ネットワーク通信パラメータ取得部は光学読み取り装置で読み取り可能なネットワーク通信パラメータを含む情報を読み取って該ネットワーク通信パラメータを取得することを特徴とする請求項１または２に記載のネットワークを利用して通信する射出成形機。
【請求項６】
前記射出成形機に予め成形機固有の固有情報が設定され、
前記ネットワーク通信パラメータ取得部は、前記射出成形機の前記固有情報に対応させたネットワーク通信パラメータを読み取ることを特徴とする請求項１から５の何れか１つに記載のネットワークを利用して通信する射出成形機。
【発明の詳細な説明】
【技術分野】
【０００１】
本発明は、ネットワークを利用して通信する射出成形機に関する。
【背景技術】
【０００２】
射出成形機をネットワーク環境下で運用する場合、運用を始める前に射出成形機にＩＰアドレス等のネットワーク通信パラメータを設定する必要がある。ネットワーク通信パラメータは、射出成形機ごとに設定する。  
ネットワークを使用して複数の射出成形機を管理用端末に接続し、管理用端末上で射出成形機の品質管理や生産管理が一般的に行われている。また、射出成形機の周辺装置である金型温調機や成形品の取出機等も同様にネットワークを使用して射出成形機に接続して、射出成形機からこれらの周辺装置に設定される設定値を変更あるいは、反対に周辺装置の稼動状態のデータを取得して射出成形機の画面に表示して、操作性を向上させる技術も公知である。  
上述したように、射出成形機を複数台設置して成形品の製造を行う工場では様々な装置間でネットワークシステムが構築され、通信によって機器の設定や稼動状態などのデータを相互に送受信して、工場の円滑な管理に役立てている。
【０００３】
成形工場内の複数台の射出成形機を通信によって接続しネットワークシステムを構築するためには、管理用端末、射出成形機、周辺装置等の機器をネットワークで接続するための配線工事とともに、通信を行うためのネットワーク通信パラメータを機器毎に設定する作業が必要になる。射出成形機にネットワーク通信パラメータを設定する作業は、例えば、特許文献１の［００２７］や図６に記載されているように、射出成形機の表示装置の入力画面で作業者がネットワーク通信パラメータを入力して行っていた。
【先行技術文献】
【特許文献】
【０００４】
【特許文献１】特開２００９−１１９６１６号公報
【特許文献２】特開２００４−２８２１１９号公報
【発明の概要】
【発明が解決しようとする課題】
【０００５】
ネットワーク通信パラメータを設定する作業は、ネットワークに接続する機器の数が増えれば増えるほど手間が掛かる作業であり、またネットワーク通信パラメータの内、ＩＰアドレス等の設定が機器間で重複していると、通信が正常に動作しないという問題も発生する。特に大規模な射出成形工場では、多数の射出成形機を管理用端末で管理する必要があり、ネットワーク通信パラメータの設定作業は作業者にとって非常に負担の大きな作業になっている。さらに射出成形機には射出成形機自身のネットワーク通信パラメータ以外に、ネットワークシステムで使用する管理用端末等のネットワーク通信パラメータも設定しなければならない場合もある。射出成形機自身のネットワーク通信パラメータを簡単な操作で設定する方法が特許文献２に開示されているが、ネットワークシステムで使用する管理用端末等のネットワーク通信パラメータを簡単に設定する方法までは開示されていない。  
そこで本発明では、パソコンあるいは記憶媒体あるいは光学式読み取り装置を使用して、射出成形機に様々なネットワーク通信パラメータを設定することにより、面倒なネットワーク通信パラメータ設定作業の負担を軽減することを課題とする。
【課題を解決するための手段】
【０００６】
本願の請求項１に係る発明は、ネットワークを利用して通信する射出成形機において、ネットワーク通信パラメータを取得するネットワーク通信パラメータ取得部と、取得した前記ネットワーク通信パラメータを前記射出成形機に設定する設定部と、を有し、前記ネットワーク通信パラメータは、前記射出成形機と管理用端末の間の通信を実現する射出成形機上のネットワークアプリケーションで使用するネットワーク通信パラメータを含むことを特徴とするネットワークを利用して通信する射出成形機である。この発明によって、射出成形機と管理用端末の間の通信を実現する射出成形機上のネットワークアプリケーションで使用するネットワーク通信パラメータを自動的に設定することができ、作業者の負担を軽減し、設定の誤りをなくすことができる。
【０００７】
請求項２に係る発明は、ネットワークを利用して通信する射出成形機において、ネットワーク通信パラメータを取得するネットワーク通信パラメータ取得部と、取得した前記ネットワーク通信パラメータを前記射出成形機に設定する設定部と、を有し、前記ネットワーク通信パラメータは、前記射出成形機と周辺装置の間の通信を実現する射出成形機上のネットワークアプリケーションで使用するネットワーク通信パラメータを含むことを特徴とするネットワークを利用して通信する射出成形機である。
【０００８】
請求項３に係る発明は、前記射出成形機は前記ネットワーク通信パラメータを記憶するパソコンとネットワークで接続され、前記ネットワーク通信パラメータ取得部は該ネットワークを介して該ネットワーク通信パラメータをパソコンより取得することを特徴とする請求項１または２に記載のネットワークを利用して通信する射出成形機である。この発明によって、オンラインで射出成形機自身にネットワーク通信パラメータを自動的に設定することができる効果がある。
【０００９】
請求項４に係る発明は、前記射出成形機は記憶媒体とデータ入出力を行うデータ入出力部を有し、前記ネットワーク通信パラメータ取得部はネットワーク通信パラメータを記憶した前記記憶媒体から該ネットワーク通信パラメータを取得することを特徴とする請求項１または２に記載のネットワークを利用して通信する射出成形機である。  
請求項４に係る発明では、記憶媒体に各射出成形機のネットワーク通信パラメータを記憶して、これを射出成形機で読み取る。記憶媒体としては、ＵＳＢメモリ／メモリカード／ＣＤ／ＤＶＤ／フロッピィディスク等が上げられる。射出成形機がネットワークに接続していなくても、射出成形機自身にネットワーク通信パラメータを自動的に設定することができる。よって、ネットワークの配線工事前に射出成形機にネットワーク通信パラメータを設定したい場合にも利用できる。
【００１０】
請求項５に係る発明は、前記射出成形機は光学読み取り装置からのデータ入力部を有し、前記ネットワーク通信パラメータ取得部は前記光学読み取り装置で読み取り可能なネットワーク通信パラメータを含む情報を読み取って該ネットワーク通信パラメータを取得することを特徴とする請求項１または２に記載のネットワークを利用して通信する射出成形機である。請求項４に係る発明と同様の効果がある。
【００１１】
請求項６に係る発明は、前記射出成形機は予め成形機固有の固有情報が設定され、前記ネットワーク通信パラメータ取得部は、前記射出成形機の前記固有情報に対応させたネットワーク通信パラメータを取得することを特徴とする請求項１から５の何れか１つに記載のネットワークを利用して通信する射出成形機である。請求項６に係る発明は、固有情報をもとにネットワーク通信パラメータを取得するため、ネットワーク通信パラメータの取得ミスが発生しない。
【発明の効果】
【００１４】
本発明により、射出成形機のネットワークシステムにおいて、面倒なネットワーク通信パラメータ設定作業の負担を軽減すると共に、ＩＰアドレスの重複などの設定ミスを無くすことができる。
【図面の簡単な説明】
【００１５】
【図１】ネットワークの構成例である。
【図２】射出成形機のネットワーク通信パラメータの構成例である。
【図３】射出成形機のネットワーク通信パラメータのファイル保存例を説明する図である。
【図４】射出成形機がパソコンに対してネットワーク通信パラメータの要求を行い、パソコンが応答する概念を説明する図である。
【図５】射出成形機がパソコンに対してネットワーク通信パラメータの要求を行う場合の射出成形機およびパソコンの手順を示すフローチャートである。
【図６】射出成形機における記憶媒体を使用したネットワーク通信パラメータの設定手順を示すフローチャートである。
【発明を実施するための形態】
【００１６】
以下、本発明の実施形態を図面と共に説明する。  
図１から図５は、射出成形機のネットワーク通信パラメータ、あるいは射出成形機上のネットワークアプリケーションで使用するネットワーク通信パラメータを保存するパソコンでネットワークを構成する例を説明する図である。図６は記憶媒体を利用してネットワーク通信パラメータを設定する例を説明する図である。
【００１７】
図１は、ネットワークの構成例である。Ｍ台およびＮ台の射出成形機と２台のパソコンをＬＡＮで接続している。射出成形機に接続されたパソコンは、各種データを記憶する記憶装置、各種演算処理を実行する演算処理部（ＣＰＵ）、ＬＡＮなどを介して射出成形機と通信を行うための通信制御部を備えている。Ｍ台の射出成形機をグループ１、Ｎ台の射出成形機をグループ２としている。グループ１のｈ番目の射出成形機を”射出成形機１＿ｈ”とする。同様にグループ２のｈ番目の射出成形機を”射出成形機２＿ｈ”とする。またグループ１のｈ番目の射出成形機で使用するｋ番目の周辺装置を”周辺装置１＿ｈ＿ｋ”とする。同様にグループ２のｈ番目の射出成形機で使用するｋ番目の周辺装置を”周辺装置２＿ｈ＿ｋ”とする。またグループ１の射出成形機および周辺装置のネットワーク通信パラメータを保存するパソコンをパソコン１とする。同様にグループ２に対してはパソコン２とする。さらにグループ１のｈ番目の射出成形機で使用する周辺装置の台数を”Ｕ１ｈ”、グループ２では”Ｕ２ｈ”とする。なお図１において、パソコン１とパソコン２によりネットワーク通信パラメータが設定された各射出成形機を全体的に管理する管理用端末（図示せず）が接続されている。
【００１８】
各射出成形機は制御装置（図示せず）を備えており、各射出成形機を全体的に制御する。射出成形機の制御装置は、従来公知のものであって、記憶装置、ＣＰＵを含む演算処理を行う演算処理部（図示せず）、ＬＡＮなどのネットワークを介してパソコンや周辺装置と情報を交換するための通信制御部（図示せず）を備えている。射出成形機の周辺装置は、金型の温度を制御するため温調装置、金型内の成形品を取り出す取出装置などである。
【００１９】
図２は、本発明に係る射出成形機のネットワーク通信パラメータの構成例である。射出成形機はグループＩＤおよび機械ＩＤで特定でき、これらのＩＤ（グループＩＤ，機械ＩＤ）が射出成形機の固有情報となる。図２ではパソコンの“１”、“２”がグループＩＤ１、グループＩＤ２に対応する。機械ＩＤは、グループ１では（１＿１），（１＿２），・・・，（１＿Ｍ）であり、グループ２では（２＿１），（２＿２），・・・，（２＿Ｎ）である。これ以外の射出成形機の固有情報としては、機番や機械名称などを用いることができる。
【００２０】
パソコン１のグループ１におけるｉ番目の射出成形機のｊ番目に対応するネットワーク通信パラメータを“Ｐ（１，ｉ，ｊ）”とする。なお、射出成形機別のネットワーク通信パラメータの個数をＲ個とする。また、０＜ｉ≦Ｍ、０＜ｊ≦Ｒである。パソコン２のグループ２では同様に“Ｐ（２，ｉ，ｊ）”とする。また、０＜ｉ≦Ｎ、０＜ｊ≦Ｒである。
【００２１】
なお図２に示される構成例のネットワーク通信パラメータは、射出成形機のネットワーク通信パラメータ、射出成形機上のネットワークアプリケーションで使用するネットワーク通信パラメータ、前記のネットワーク通信パラメータのいずれかひとつ以上を含んでいるものとする。
【００２２】
図３は、本発明に係る射出成形機のネットワーク通信パラメータのファイル保存例を説明する図である。図２のテーブルのようにネットワーク通信パラメータを構成した場合は、１行目には射出成形機別のネットワーク通信パラメータの個数を保存する。２行目にはグループＩＤを保存する。３行目には機械台数を保存する。４行目〜Ｍ＋３行目には射出成形機ごとのネットワーク通信パラメータを保存する。
【００２３】
（ネットワーク通信パラメータの設定手順の一例）  
次に本発明における具体的なネットワーク通信パラメータの設定手順の一例を説明する。ここでは、射出成形機に備わったネットワーク通信パラメータ取得部がネットワークを介してパソコンより取得する場合の例を説明する。  
図４は、射出成形機がパソコンに対してネットワーク通信パラメータの要求を行い、パソコンが応答する概念を説明する図である。
【００２４】
最初に、射出成形機が使用される成形工場の管理者は、ネットワークを介してパソコンに接続する全ての射出成形機について、機械の固有情報とそれに対応する射出成形機のネットワーク通信パラメータをパソコンに備わったキーボードあるいはタッチパネルなどの入力部を用いて入力しパソコンの記憶装置に記憶させておく（図３参照）。また設定内容を確認するために、パソコンは記憶した設定内容をパソコンに備わった表示装置の表示画面に表示することができる。射出成形機のネットワーク通信パラメータが図２に示される構成例の場合、パソコン１にはパソコン１に接続する射出成形機のネットワーク通信パラメータが記憶され、パソコン２にはパソコン２に接続する射出成形機のネットワーク通信パラメータが記憶される。
【００２５】
また、ネットワークに接続された各射出成形機が管理用端末とネットワーク通信を行う場合、または管理用端末のみならず周辺装置（金型温調機、取出機など）にも接続されている場合には、射出成形機上のネットワークアプリケーションで使用するネットワーク通信パラメータを射出成形機に設定する必要がある。このような場合には、前記パソコン上にそれぞれの射出成形機の固有情報に対応させた射出成形機上のネットワークアプリケーションで使用するネットワーク通信パラメータを記憶しておき、射出成形機のネットワーク通信パラメータを取得する手順と同じ手順を適用して、射出成形機に射出成形機上のネットワークアプリケーションで使用するネットワーク通信パラメータを設定すればよい。
【００２６】
なお射出成形機が管理用端末や周辺装置とネットワーク通信する場合のネットワーク通信の方法としては、ＴＣＰ／ＩＰ通信やＵＤＰ／ＩＰ通信等がある。またネットワーク通信時に射出成形機が管理用端末や周辺装置を特定するためには、例えばＴＣＰ／ＩＰ通信ではネットワーク通信パラメータとして管理用端末や周辺装置のＩＰアドレスが必須であるが、ネットワーク通信の方法によっては管理用端末や周辺装置のＩＰアドレス以外の端末名称等を使用することもある。
【００２７】
射出成形機が、該射出成形機がネットワークを介して接続されたパソコンに対してネットワーク通信パラメータを要求する場合の通信プロトコル（通信手段）として例えば、ＵＤＰ／ＩＰブロードキャストパケットを使用する。射出成形機は射出成形機の固有情報を含むＵＤＰ／ＩＰブロードキャストパケットを送信する（図４（ａ）参照）。ＵＤＰ／ＩＰブロードキャストパケットの場合、射出成形機にネットワーク通信パラメータが設定されていなくても、射出成形機は送信できる。これに対して射出成形機が接続されたパソコンは要求元の射出成形機のネットワーク通信パラメータを含むＵＤＰ／ＩＰブロードキャストパケットを返信する（図４（ｂ）参照）。
【００２８】
ネットワーク通信パラメータを設定するための手順１と手順２の概略を説明する。（手順１）では、複数の射出成形機の１つが射出成形機の固有情報を含むＵＤＰ／ＩＰブロードキャストパケットをパソコン１、パソコン２、および各射出成形機に送信する。（手順２）では、パソコン１は、ネットワーク通信パラメータを含むＵＤＰ／ＩＰブロードキャストパケットを受信し、応答を射出成形機に返信する。
【００２９】
次に射出成形機とパソコンとの間の具体的な通信部について説明する。最初に射出成形機の通信手順について説明する（図４（ａ）参照）。  
１−１）射出成形機の固有情報を含むＵＤＰ／ＩＰブロードキャストパケットを送信する。  
１−２）パソコン１または２からの応答を待つ。  
１−３）パソコン１または２からの自分自身のネットワーク通信パラメータを含むＵＤＰ／ＩＰブロードキャストパケットを受信した場合、取得したネットワーク通信パラメータを設定する。
【００３０】
次に射出成形機に接続されたパソコンの通信手順について説明する（図４（ｂ）参照）。  
２−１）射出成形機が送信したＵＤＰ／ＩＰブロードキャストパケットを受信する。このパケットには射出成形機の固有情報が含まれる。  
２−２）受信したパケットに含まれる射出成形機の固有情報を確認する。  
２−３）要求元の射出成形機の固有情報およびネットワーク通信パラメータをＵＤＰ／ＩＰブロードキャストパケットに設定した上で送信する。
【００３１】
以上は射出成形機からネットワーク通信パラメータを要求した場合の手順となるが、逆にパソコンから射出成形機にネットワーク通信パラメータの設定を要求する場合の通信手順は以下のようになる。  
射出成形機の通信手順は以下のとおりである。  
３−１）パソコンが送信したＵＤＰ／ＩＰブロードキャストパケットを各射出成形機は受信する。このパケットには射出成形機の固有情報およびネットワーク通信パラメータが含まれる。  
３−２）受信したパケットに含まれる射出成形機の固有情報およびネットワーク通信パラメータを確認する。  
３−３）取得したネットワーク通信パラメータを設定する。
【００３２】
またパソコンの通信手順は以下のとおりである。  
４−１）設定先の射出成形機の固有情報およびネットワーク通信パラメータを設定したＵＤＰ／ＩＰブロードキャストパケットを送信する。
【００３３】
図５は、図４に示される射出成形機がパソコンに対してネットワーク通信パラメータの要求を行う場合の射出成形機およびパソコンの手順を示すフローチャートである。本設定手順に入る前に、射出成形機のグループＩＤおよび機械ＩＤが射出成形機上でオペレータ操作により設定されている（グループＩＤと機械ＩＤについては図２を参照）。また、パソコン（パソコン１，パソコン２）には、図３に示される射出成形機のネットワーク通信パラメータを設定するためのファイルが予め保存されている。
【００３４】
以下、各ステップに従って説明する。
まず、射出成形機の手順を説明する。  
●［ステップＳＡ０１］射出成形機がパソコンにネットワーク通信パラメータを要求する。  
●［ステップＳＡ０２］パソコンが送信したネットワーク通信パラメータ（ステップＳＢ０３を参照）を射出成形機が受信する。  
●［ステップＳＡ０３］受信したネットワーク通信パラメータを射出成形機に設定し、処理を終了する。
【００３５】
次に、パソコンの手順を説明する。  
●［ステップＳＢ０１］パソコンが射出成形機の送信したネットワーク通信パラメータの要求（ステップＳＡ０１を参照）を受信する。  
●［ステップＳＢ０２］要求元の射出成形機のネットワーク通信パラメータをパソコンの記憶装置から読み取る。  
●［ステップＳＢ０３］ネットワーク通信パラメータを射出成形機に送信し、処理を終了する。
【００３６】
図６は、射出成形機における記憶媒体を使用したネットワーク通信パラメータの設定手順を示すフローチャートである。なお、本設定手順に入る前に、オペレータ操作により図３のファイルをパソコンで記憶媒体に保存して、このネットワーク通信パラメータを記憶した記憶媒体を射出成形機に装着しているものとする。また同じくオペレータ操作により射出成形機のグループＩＤおよび機械ＩＤが射出成形機に設定されているものとする。なお、図６の設定手順で扱うネットワーク通信パラメータは、図２に記したネットワーク通信パラメータを使用する。
【００３７】
以下、各ステップに従って射出成形機の手順を説明する。  
●［ステップＳＣ０１］射出成形機が該射出成形機に接続された記憶媒体よりネットワーク通信パラメータを取得する。  
●［ステップＳＣ０２］取得したネットワーク通信パラメータを射出成形機に設定し、処理を終了する。
【００３８】
図５、図６により説明した射出成形機に設定されるネットワーク通信パラメータは、射出成形機のネットワーク通信パラメータ、射出成形機上のネットワークアプリケーションで使用するネットワーク通信パラメータ、前記のネットワーク通信パラメータのいずれか１つ以上となる。
【００３９】
以下、各実施形態を説明する。  
＜実施形態１＞
実施形態１は、ネットワーク通信パラメータを取得するネットワーク通信パラメータ取得部と、取得したネットワーク通信パラメータを射出成形機に設定する設定部とを有する射出成形機である。  
射出成形機自身にネットワーク通信パラメータを自動的に設定することができ、作業者の負担を軽減し、設定の誤りをなくすことができる。
【００４０】
＜実施形態２＞
実施形態１のネットワーク通信パラメータ取得部は、ネットワークを介してネットワーク通信パラメータをパソコンより取得する。前記パソコンはネットワークに接続して、ネットワークに接続された射出成形機のネットワーク通信パラメータを記憶する。このネットワーク通信パラメータ取得部は、パソコンに記憶したネットワーク通信パラメータを射出成形機で読み取る。  
またこの取得部は、射出成形機が前記パソコンに対してネットワーク通信パラメータの送信を要求し、その応答としてネットワーク通信パラメータを取得するものでもよいし、射出成形機がパソコンからネットワーク通信パラメータが通知されるのを待って、通知され次第ネットワーク通信パラメータを取得するものでもよい。またネットワーク通信パラメータを記憶するパソコンには携帯端末やワークステーション等も使用できる。  
【００４１】
＜実施形態３＞
実施形態１のネットワーク通信パラメータ取得部は、記憶媒体を使ってネットワーク通信パラメータを取得する。このネットワーク通信パラメータ取得部は、記憶媒体に各射出成形機のネットワーク通信パラメータを記憶して、これを射出成形機で読み取る。記憶媒体としては、ＵＳＢメモリ／メモリカード／ＣＤ／ＤＶＤ／フロッピィディスク／ハードディスク等が上げられる。  
射出成形機がネットワークに接続していなくても、射出成形機自身にネットワーク通信パラメータを自動的に設定することができる。よってネットワークの配線工事前に射出成形機にネットワーク通信パラメータを設定したい場合にも利用できる。
【００４２】
＜実施形態４＞
実施形態１のネットワーク通信パラメータ取得部は、光学式読み取り装置を使って取得する方法である。この方法では、射出成形機のネットワーク通信パラメータを前記光学式読み取り装置で読み取り可能な絵に変換した上で、絵を紙に印刷するまたは端末に表示するなどして、これを射出成形機で読み取る。光学式読み取り装置としては、バーコードリーダ／ＱＲコード（登録商標）リーダ等が上げられる。また光学式読み取り装置で読み取る絵としては、バーコード／ＱＲコード（登録商標）等の光学式読み取りコードが上げられる。実施形態３と同様の効果が得られる。
【００４３】
＜実施形態５＞
実施形態２〜４のネットワーク通信パラメータ取得部について、射出成形機に射出成形機固有の情報を設定して固有情報に対応させたネットワーク通信パラメータを読み取る読み取り部を有する射出成形機である。この実施形態では、ネットワーク通信パラメータの取得ミスが発生しない。
【００４４】
＜実施形態６＞
実施形態１〜５のネットワーク通信パラメータは、射出成形機自身のネットワーク通信パラメータである。射出成形機をネットワーク環境下で運用を開始する場合、運用前に射出成形機自身に射出成形機のＩＰアドレス／サブネットマスク／デフォルトゲートウェイ等のネットワーク通信パラメータを設定する必要がある。射出成形機自身のネットワーク通信パラメータの設定について、実施形態１と同様の効果が得られる。
【００４５】
＜実施形態７＞
実施形態１〜５のネットワーク通信パラメータは、射出成形機と管理用端末の間の通信を実現する射出成形機上のネットワークアプリケーションで使用するネットワーク通信パラメータである。ネットワークアプリケーションはＯＳＩ参照モデルのセッション層（第５層）以上に相当するソフトウェアで、ＦＴＰやＴＥＬＮＥＴと言った広く市場に普及したものや、射出成形機メーカ等が独自に作成したものがある。
【００４６】
例としてＦＴＰを使用して射出成形機が管理用端末のデータを取得する場合、管理用端末のＩＰアドレスやＦＴＰで使用するログイン名称およびパスワードを、射出成形機に設定しておく必要がある。この場合、上記のＩＰアドレス、ログイン名称、パスワードがネットワークアプリケーションで使用するネットワーク通信パラメータとなる。
【００４７】
別の例として、射出成形機メーカ等が独自に作成したネットワークアプリケーションで射出成形機から管理用端末に対して要求を行う場合、管理用端末を特定するための管理用端末のＩＰアドレスや端末名称、また管理用端末上のネットワークアプリケーションを特定するためのネットワークのポート番号を、射出成形機に設定しておく必要がある。この場合、上記のＩＰアドレス、端末名称、ポート番号がネットワークアプリケーションで使用するネットワーク通信パラメータとなる。
【００４８】
なお管理用端末は、射出成形機の通信相手となり射出成形機の成形データを収集したり生産数量を集計したりする。通常、管理用端末にはパソコンを使用するが、管理用端末は携帯端末やワークステーション等も使用できる。また管理用端末と、ネットワーク通信パラメータを記憶している実施形態２のパソコンは、別々の機器でも同一の機器でもよい。
射出成形機と管理用端末の間の通信を実現する射出成形機上のネットワークアプリケーションで使用するネットワーク通信パラメータの設定について、実施形態１と同様の効果がある。
【００４９】
＜実施形態８＞
実施形態５までのネットワーク通信パラメータは、射出成形機と周辺装置の間の通信を実現する射出成形機上のネットワークアプリケーションで使用するネットワーク通信パラメータである。実施形態７との相違点は、管理用端末が周辺装置に置き換わっただけである。なお周辺装置は、射出成形機と連携して様々な処理を行う装置である。周辺装置には、金型温調機、取出機、監視カメラ、成形品重量測定器、等がある。射出成形機と周辺装置の間の通信を実現する射出成形機上のネットワークアプリケーションで使用するネットワーク通信パラメータの設定について、実施形態１と同様の効果がある。
【符号の説明】
【００５０】
Ｍ  グループ１の射出成形機台数
Ｎ  グループ２の射出成形機台数
Ｕ１ｈ  グループ１のｈ番目の射出成形機で使用する周辺装置台数
Ｕ２ｈ  グループ２のｈ番目の射出成形機で使用する周辺装置台数
Ｒ  射出成形機別のネットワーク通信パラメータの個数
Ｐ（１，ｉ，ｊ）  グループ１におけるｉ番目の射出成形機のｊ番目に対応する個別パラメータ
Ｐ（２，ｉ，ｊ）  グループ２におけるｉ番目の射出成形機のｊ番目に対応する個別パラメータ
【図１】
0005576909.tif 000002
【図２】
0005576909.tif 000003
【図３】
0005576909.tif 000004
【図４】
0005576909.tif 000005
【図５】
0005576909.tif 000006
【図６】
0005576909.tif 000007